(57)【特許請求の範囲】
【請求項１】
建造物等の上階と下階とを仕切る天井スラブの下側に吊り具にて吊り下げ支持される遮音ボードの穴部に装着される穴遮音施封具であって、
前記遮音ボードに接合する遮音ボード接合部と、この遮音ボード接合部と一体の操作筒部とを有し、弾性体により形成された施封具本体と、
前記遮音ボード接合部、操作筒部を貫通して穿設した吊りボルト挿通用の前記吊りボルトの外径より小径の貫通穴とを具備し、
前記貫通穴の遮音ボード接合部側の端部は、吊りボルトが挿通し易いように端部に至るほど大径となるテーパ状とし、貫通穴の操作筒部側の端部は、吊りボルトの外周に弾性をもって密着するように端部に至るほど小径となるテーパー状として、
前記遮音ボードに穿設される穴部から突出する吊りボルトに対して施封具本体の貫通穴を挿入し操作筒部を遮音ボード側に押し付けることで前記遮音ボード接合部を遮音ボード面に密着させるとともに、前記貫通穴の壁面から吊りボルト外周に作用する施封具本体の弾性力により前記貫通穴の遮音ボード接合部側のテーパー状の端部を除く前記吊りボルトの外径より小径の壁面及び前記操作筒部側のテーパー状部分の壁面を吊りボルト外周に密着させ、前記穴部の遮音施封を行うようにしたことを特徴とする穴遮音施封具。
【請求項２】
建造物等の上階と下階とを仕切る天井スラブの下側に吊り具にて吊り下げ支持される遮音ボードの穴部に装着される穴遮音施封具であって、
前記遮音ボードに接合する遮音ボード接合部と、この遮音ボード接合部と一体の操作筒部と、前記遮音ボード接合部の端面に円形状に形成した微小突起とを有し、弾性体により形成された施封具本体と、
前記遮音ボード接合部、操作筒部を貫通して穿設した前記吊りボルトの外径よりも小径の吊りボルト挿通用の貫通穴と、
前記遮音ボード接合部の微小突起を形成した面とは反対の面に設けた強度補強用の円盤状の補強金属板と、
を具備し、
前記貫通穴の遮音ボード接合部側の端部は、吊りボルトが挿通し易いように端部に至るほど大径となるテーパー状とし、貫通穴の操作筒部側の端部は、吊りボルトの外周に弾性をもって密着するように端部に至るほど小径となるテーパー状として、
前記遮音ボードに穿設される穴部から突出する吊りボルトに対して施封具本体の貫通穴を挿入して操作筒部を遮音ボード側に押し付けることで前記遮音ボード接合部の微小突起を遮音ボード面に密着させ、且つ、前記貫通穴の壁面から吊りボルト外周に作用する施封具本体の弾性力により前記貫通穴の遮音ボード接合部側のテーパー状の端部を除く前記吊りボルトの外径より小径の壁面及び前記操作筒部側のテーパー状部分の壁面を吊りボルト外周に密着させ、前記穴部の遮音施封を行うようにしたことを特徴とする穴遮音施封具。
【発明の詳細な説明】
【発明の属する技術分野】
本発明は、穴遮音施封具に関し、詳しくは、例えば、建造物等の上階と下階とを仕切る天井スラブの下側に吊り具にて吊り下げ支持される遮音ボードの穴部等々に装着され、特に上階と下階間との遮音を図る遮音天井構造において用いる穴遮音施封具に関するものである。
【従来の技術】
従来、例えば、図５に示すように、建造物の上階と下階とを仕切る天井スラブ５０の下側に吊りボルト５１、振動防止用ハンガー５２等の吊り具５３にて吊り下げ支持されるボード、化粧板等からなる遮音ボード６０には、吊りボルト５１を挿通させるための穴（ボルト穴）６１が穿設される。そして、穴６１から下方に突出させた吊りボルト５１に対して必要な部材が取り付けられる。
なお、図５中の符号３１、３２は遮音ボード６０を懸架する構造体を示すものであり、構造体３１は各吊りボルト５１にその両端が支持３５、３５されながら配置され、構造体３２はその上端が一方の吊りボルト５１に支持３６されながら配置されている。また、符号３３は階下の天井部を示すものであり、符号３４は吊りボルト５１の下端部分を階下の天井部３３に固定するようにした金具部を示すものである。更に、図５中の符号６は吸音用のグラスウールである。
【発明が解決しようとする課題】
しかしながら、上述のような従来の遮音ボード構造の場合には、上階と下階との間の遮音を図る必要性から前記遮音ボード６０に穿設した穴６１と吊りボルト５１との間の隙間又は穴６１の周り穿設した充填穴にコーキング材等からなる遮音材６３を充填し密封することが通常である。
このような遮音材６３の充填による遮音構造の場合には、広面積となる遮音ボード６０に穿設される多数の穴６１の遮音に適用することは作業性の点で極めて煩雑であるという問題がある。
本発明は、上記事情に鑑みてなされたものであり、遮音ボードの穴部に装着され、上階と下階間の遮音を簡略な操作にて的確に行うことが可能な穴遮音施封具を提供するものである。
【課題を解決するための手段】
請求項１記載の発明の穴遮音施封具は、建造物等の上階と下階とを仕切る天井スラブの下側に吊り具にて吊り下げ支持される遮音ボードの穴部に装着される穴遮音施封具であって、前記遮音ボードに接合する遮音ボード接合部と、この遮音ボード接合部と一体の操作筒部とを有し、弾性体により形成された施封具本体と、前記遮音ボード接合部、操作筒部を貫通して穿設した吊りボルト挿通用の前記吊りボルトの外径より小径の貫通穴とを具備し、前記貫通穴の遮音ボード接合部側の端部は、吊りボルトが挿通し易いように端部に至るほど大径となるテーパー状とし、貫通穴の操作筒部側の端部は、吊りボルトの外周に弾性をもって密着するように端部に至るほど小径となるテーパー状として、前記遮音ボードに穿設される穴部から突出する吊りボルトに対して施封具本体の貫通穴を挿入し操作筒部を遮音ボード側に押し付けることで前記遮音ボード接合部を遮音ボード面に密着させるとともに、前記貫通穴の壁面から吊りボルト外周に作用する施封具本体の弾性力により前記貫通穴の遮音ボード接合部側のテーパー状の端部を除く前記吊りボルトの外径より小径の壁面及び前記操作筒部側のテーパー状部分の壁面を吊りボルト外周に密着させ、前記穴部の遮音施封を行うようにしたことを特徴とするものである。
請求項１記載の発明によれば、操作筒部を操作し、吊りボルトが貫通穴を貫通する状態で遮音ボードのボルト穴部に装着し操作筒部を遮音ボード側に押し付けるだけの簡略な操作にて、前記遮音ボード接合部を遮音ボード面に密着させるとともに、前記貫通穴の壁面から吊りボルト外周に作用する施封具本体の弾性力により前記貫通穴の遮音ボード接合部側のテーパー状の端部を除く前記吊りボルトの外径より小径の壁面及び前記操作筒部側のテーパ状部分の壁面を吊りボルト外周に密着させることができ、これにより、前記穴部を施封し上階と下階間との遮音を的確に行うことが可能な穴遮音施封具を提供することができる。
請求項２記載の発明の穴遮音施封具は、建造物等の上階と下階とを仕切る天井スラブの下側に吊り具にて吊り下げ支持される遮音ボードの穴部に装着される穴遮音施封具であって、前記遮音ボードに接合する遮音ボード接合部と、この遮音ボード接合部と一体の操作筒部と、前記遮音ボード接合部の端面に円形状に形成した微小突起とを有し、弾性体により形成された施封具本体と、前記遮音ボード接合部、操作筒部を貫通して穿設した前記吊りボルトの外径よりも小径の吊りボルト挿通用の貫通穴と、前記遮音ボード接合部の微小突起を形成した面とは反対の面に設けた強度補強用の円盤状の補強金属板とを具備し、前記貫通穴の遮音ボード接合部側の端部は、吊りボルトが挿通し易いように端部に至るほど大径となるテーパー状とし、貫通穴の操作筒部側の端部は、吊りボルトの外周に弾性をもって密着するように端部に至るほど小径となるテーパー状として、前記遮音ボードに穿設される穴部から突出する吊りボルトに対して施封具本体の貫通穴を挿入して操作筒部を遮音ボード側に押し付けることで前記遮音ボード接合部の微小突起を遮音ボード面に密着させ、且つ、前記貫通穴の壁面から吊りボルト外周に作用する施封具本体の弾性力により前記貫通穴の遮音ボード接合部側のテーパー状の端部を除く前記吊りボルトの外径より小径の壁面及び前記操作筒部側のテーパー状部分の壁面を吊りボルト外周に密着させ、前記穴部の遮音施封を行うようにしたことことを特徴とするものである。
請求項２記載の発明によれば、操作筒部を操作し、吊りボルトが貫通穴を貫通する状態で遮音ボードのボルト穴部に装着するだけの簡略な操作にて、施封具本体に設けた微小突起の遮音ボードへの密着と、施封具本体の貫通穴の遮音ボード接合部側のテーパー状の端部を除く前記吊りボルトの外径より小径の壁面及び前記操作筒部側のテーパー状部分の壁面の吊りボルト外周への弾性による密着との相乗作用が生じ、これにより、前記穴部を施封し、上階と下階間の遮音を的確に行うことが可能となるとともに、施封具本体に円盤状の補強金属板を付加しているので、施封具本体も堅牢な構造となる穴遮音施封具を提供することができる。
【発明の実施の形態】
以下に本発明の実施の形態を詳細に説明する。
本実施の形態の穴遮音施封具１は、例えば、図１に示すように、建造物の上階と下階とを仕切る天井スラブ３の下側に、上側及び下側の両吊りボルト４、防振ハンガー５を用いた吊り具２にて吊り下げ支持される遮音ボード２０の穴部（ボルト穴）２１に吊り具２を構成する吊りボルト４が貫通する状態における当該吊りボルト４の下端から該ボルト４に装着される構造となっている。
図１に示す建造物等の上階と下階との間に設けられる遮音天井構造は、一例を示すものであり、本実施の形態の穴遮音施封具１が図示する遮音天井構造以外にも広く使用できることは勿論である。
なお、図１中の符号３１、３２は遮音ボード２０を懸架する構造体を示すものであり、構造体３１は各吊りボルト４にその両端が支持３５、３５されながら配置され、構造体３２はその上端が一方の吊りボルト４に支持３６されながら配置されている。また、符号３３は階下の天井部を示すものであり、符号３４は吊りボルト４の下端部分を階下の天井部３３に固定するようにした金具部を示すものである。
この穴遮音施封具１は、図２、図３に示すように、遮音ボード２０に接合する円板状の遮音ボード接合部１１と、この遮音ボード接合部１１と一体の略円筒状の操作筒部１２と、前記遮音ボード接合部１１の端面（遮音ボード２０側の端面）に各々円形状で且つ断面山形状に形成した中央部側及び外周部側の２条の微小突起１３ａ、１３ｂとを有し、これら全体をゴム材のような弾性体により成形した施封具本体１０を具備している。
前記施封具本体１０の遮音ボード接合部１１、操作筒部１２を貫通して前記吊りボルト４の外径よりも若干小径の吊りボルト挿通用の貫通穴１４を穿設している。
この貫通穴１４の遮音ボード接合部１１側の端部は、吊りボルト４が挿通し易いように端部に至るほど大径となるテーパー状となっている。
また、貫通穴１４の操作筒部１２側の端部は、端部に至るほど小径となるテーパー状で、吊りボルト４の外周に弾性をもって密着するようにしている。
更に、前記遮音ボード接合部１１における前記微小突起１３ａ、１３ｂを形成した面とは反対側の面から操作筒部１２の外周に至る部分には、円盤状の補強金属板１５が強度補強用、且つ、遮音用として添設されている。
前記操作筒部１２の外形は、遮音ボード接合部１１とは反対側の端部側がその突出端に至るほど小径となるテーパー状となっている。
なお、図１中の符号６は吸音用のグラスウールである。
次に、図４を参照して本実施の形態の穴遮音施封具１を使用し、例えば、前記建造物の上階と下階とを仕切る天井スラブ３の下側に吊り具２にて吊り下げ支持される遮音ボード２０の穴部２１を防音施封する方法について説明する。
前記遮音ボード２０に穿設される穴部２１から下方に突出する吊り具２を構成する吊りボルト４に対して、本実施の形態の前記施封具本体１０の貫通穴１４を挿入して操作筒部１２を遮音ボード２０側に例えば手動操作にて押し付けることで、前記遮音ボード接合部１１の微小突起１３ａ、１３ｂを各々遮音ボード２０の面に密着させ、且つ、前記貫通穴１４の壁面から吊りボルト４の外周に作用する施封具本体１０の弾性力によりこの施封具本体１０を吊りボルト４の外周に密着させる。
これにより、遮音ボード２０の穴部２１と吊りボルト４の外周との間の隙間は、下階側から観察した場合施封具本体１０により完全に施封されることになり、例えば上階側から天井内部、穴部２１を経て下階に伝わろうとする音（上階で発生する騒音等）を確実に遮断することができる。下階から穴部２１、天井内部を経て上階に伝わろうとする音についても同様に確実に遮断することができる。
また、本実施の形態の穴遮音施封具１において、前記遮音ボード接合部１１における前記微小突起１３ａ、１３ｂを形成した面に、更に、接着剤を塗布した状態で上述したような施封具本体１０を遮音ボード２０及び吊りボルト４の外周に密着させる操作を行えば、前記接着剤の接着作用で遮音ボード接合部１１がより強固に遮音ボード２０に密着するので、上述した防音施封効果をより高めることができる。
【発明の効果】
本発明によれば、施封具本体に設けた微小突起の遮音ボードへの密着と貫通穴部分の吊りボルトへの弾性による密着との相乗作用により上階と下階間の遮音を的確に行うことが可能であり、かつ、堅牢な構造の穴遮音施封具を提供することができる。
【図面の簡単な説明】
【図１】  本発明の実施の形態の穴遮音施封具を使用した遮音ボードの穴部の防音施封構造を示す概略断面図である。
【図２】  本発明の実施の形態の穴遮音施封具の平面図である。
【図３】  本発明の実施の形態の穴遮音施封具の部分断面図である。
【図４】  本発明の実施の形態の穴遮音施封具を使用した遮音ボードの穴部の防音施封工程を示す図である。
【図５】  従来の一例を示す遮音ボードの穴部の防音施封構造を示す概略断面図である。
【符号の説明】
１    穴遮音施封具
３    天井スラブ
４    吊りボルト
５    防振ハンガー
６    吸音用のグラスウール
１０    施封具本体
１１    遮音ボード接合部
１２    操作筒部
１３ａ  微小突起
１３ｂ  微小突起
１４    貫通穴
１５    補強金属板
２０    遮音ボード
２１    穴部（ボルト穴）
３１    遮音ボード２０を懸架する構造体
３２    遮音ボード２０を懸架する構造体
３３    天井部
３４    金具部
３５    支持（部分）
３６    支持（部分）
【図１】
0004883847.tif 000002
【図２】
0004883847.tif 000003
【図３】
0004883847.tif 000004
【図４】
0004883847.tif 000005
【図５】
0004883847.tif 000006